(57)【要約】【課題】  香料、医薬品、殺菌剤、消臭剤など生活の中で使用する化学物質を霧に含有して放出する目的に適した静電式霧化装置を実現する。具体的には、霧を所定の方向に制御し効率よく放出する、当該霧に含有させる化学物質を短い時間で切り替えるなどが課題である。【解決手段】  液体を噴射させるための液体噴射管と、当該管の先端に高電圧を印加するための噴射電極と、当該噴射管から放出される微粒子を受け入れ当該微粒子の飛散方向を揃えて搬送するための霧搬送筒と、霧搬送筒の下部に設けられた対向電極とからなり、霧搬送筒の先端から前記微粒子を筒の軸方向に放出することを特徴とする。霧搬送筒の軸方向に電界を形成するように対向電極と所定の距離を隔てて調整電極を設けることができる。霧搬送筒の内部、又は、上方を温めて、上昇気流を発生させるための加熱手段を設けることができる。香りを高速に切り替えることができる。【選択図】    図１
2007283231.tif 000002
【特許請求の範囲】
【請求項１】
液体を噴射させるための液体噴射管と、当該管の先端に高電圧を印加するための噴射電極と、当該噴射管から放出される微粒子を受け入れ当該微粒子の飛散方向を揃えて搬送するための霧搬送筒と、当該霧搬送筒の下部に設けられた対向電極とからなり、当該霧搬送筒の先端から前記微粒子を筒の軸方向に放出することを特徴とする静電式霧化装置
【請求項２】
請求項１において、前記霧搬送筒の軸方向に電界を形成するように前記対向電極と所定の距離を隔てて調整電極を設けたことを特徴とする静電式霧化装置
【請求項３】
請求項１において、前記霧搬送筒の内部、または、上方を温めて、当該筒内に上昇気流を発生させるための加熱手段を設けたことを特徴とする静電式霧化装置
【請求項４】
請求項１において、前記霧搬送筒の先端部を当該筒の腹部に比べて細くし、前記噴射電極にパルス状の電圧に印加し、前記微粒子を瞬間的に霧搬送筒内に噴射することを特徴とする静電式霧化装置
【請求項５】
請求項１において、前記液体を噴射させるための液体噴射管を複数設け、前記霧搬送筒の下端を、当該複数の液体噴射管の中から任意に選択された液体噴射管先端の上方に移動することを特徴とする静電式霧化装置
【発明の詳細な説明】
【技術分野】
【０００１】
本発明は、香料、医薬品、殺菌剤、消臭剤など生活の中で使用する化学物質を霧に含有させて放出する目的に適した静電式霧化装置に関する。
【背景技術】
【０００２】
前記化学物質の一例として香料を含有する霧を放出する装置に関して、従来技術とその問題点を説明する。
【０００３】
ストレスが多い現代、人に癒しを与える商品として、霧に香料を含有して放出する装置が注目されている。液体霧化方式としては、超音波を用いて液体を高速に振動し、微粒子化して放出する超音波方式が広く使用させている。従来例としては、特開２００３−２４５５８０、実登３１００８７３などがある。
【０００４】
しかし、高周波駆動する超音波振動子は、液体で満たされた状態で使用しないと、超音波が素子内部で反射し、発熱し、劣化または破壊する問題があり、一般的には、液体供給方法が複雑になる。
【０００５】
最近、構造が簡単で、少量の液体の霧化に適した方法として、静電霧化方式が注目されている。液体塗料を噴射する目的などで、様々な装置が開発されている。従来例としては、特開２００４−３６１００９、特開２００５−１６４１３９などがある。
【０００６】
しかし、霧に香料、医薬品など、生活の中で使用する化学物質を含有して放出する目的の装置は開発されていない。従来の静電式噴霧装置を用いて、例えば香料含有液体を霧化して放出することは可能であるが、霧が広い開口角で放出されるため、霧の放出方向の制御が難しい問題がある。
【０００７】
芳香器などへの応用を考えた場合、単に、香料含有霧が放出されればよいのではなく、霧の放出が視覚的にも美しい方が望ましい。また、霧の放出方向、放出速度を制御できれば、利用者が好むように香りを提示できるため更に望ましい。
【０００８】
【特許文献１】特開２００３−２４５５８０
【特許文献２】実登３１００８７３
【特許文献３】特開２００４−３６１００９
【特許文献４】特開２００５−１６４１３９
【発明の開示】
【発明が解決しようとする課題】
【０００９】
本発明の霧発生装置が解決しようとする主な課題は、香料、医薬品、殺菌剤、消臭剤など生活の中で使用する化学物質を霧に含有して放出する目的に適した静電式霧化装置を実現することである。具体的には、霧を所定の方向に制御し効率よく放出する、当該霧に含有させる化学物質を短い時間で切り替えるなどが重要な課題である。
【００１０】
また、当該霧発生装置を利用する側から見ると、小型で経済的に構成できる、当該霧を利用者に快適に提示できる、洗浄が容易でメンテナンス性が良いことが重要な課題である。
【課題を解決するための手段】
【００１１】
＜手段１＞  
本発明に係わる請求項１に記載の静電式霧化装置は、例えば、図１、図２、図３に対応付けて説明すると、液体を噴射させるための液体噴射管（Ｔ１）と、当該管の先端に高電圧を印加するための噴射電極（Ｔ１１）と、当該噴射管から放出される微粒子を受け入れ当該微粒子の飛散方向を揃えて搬送するための霧搬送筒（Ｔ３）と、当該霧搬送筒の下部（Ｔ３Ａ）に設けられた対向電極（Ｔ３１）とからなり、当該霧搬送筒の先端から前記微粒子を筒の軸方向（Ｔ３ＡＸ）に放出することを特徴とする。
【００１２】
＜手段２＞  
本発明に係わる請求項２に記載の静電式霧化装置は、例えば、図１、図２、図３に対応付けて説明すると、前記手段１において、前記霧搬送筒の軸方向（Ｔ３ＡＸ）に電界を形成するように前記対向電極（Ｔ３１）と所定の距離を隔てて調整電極（Ｔ３２、Ｔ３３）を設けたことを特徴とする。
【００１３】
前記手段２において、調整電極（Ｔ３２、Ｔ３３）は、霧搬送筒（Ｔ３）の腹（Ｔ３Ｂ）または上部（Ｔ３Ｃ）に当該筒を囲むように設けることができる。また、図４に示すように、複数の調整電極（Ｔ５２、Ｔ５３、Ｔ５４、Ｔ５５）を用いることができる。
【００１４】
＜手段３＞  
本発明に係わる請求項３に記載の静電式霧化装置は、例えば、図１、図２、図３に対応付けて説明すると、前記手段１において、前記霧搬送筒の内部、または、上方を温めて、当該筒内に上昇気流を発生させるための加熱手段（ＨＴ）を設けたことを特徴とする。
【００１５】
前記手段３において、霧を放出する経路の温度は、３０度から５０度の範囲に設定されることが望ましい。
【００１６】
＜手段４＞  
本発明に係わる請求項４に記載の静電式霧化装置は、例えば、図１、図２、図３に対応付けて説明すると、前記手段１において、前記霧搬送筒の先端部（Ｔ３Ｅ）を当該筒の腹部（Ｔ３Ｂ）に比べて細くし、前記噴射電極にパルス状の電圧を印加し（ＳＷ）、前記微粒子を瞬間的に霧搬送筒内に噴射することを特徴とする。
【００１７】
前記手段４において、前記霧搬送筒の先端部（Ｔ３Ｅ）は、当該筒の腹部に比べて断面積が２／３〜１／１０程度に細くなるように構成することが望ましい。
【００１８】
＜手段５＞  
本発明に係わる請求項５に記載の静電式霧化装置は、例えば、図１、図２、図３に対応付けて説明すると、前記手段１において、前記液体を噴射させるための液体噴射管を複数設け（Ｔ１、Ｔ１ｂ、Ｔ１ｃ、Ｔ１ｄ）、前記霧搬送筒の下端（Ｔ３Ａ）を、当該複数の液体噴射管の中から任意に選択された液体噴射管先端の上方に移動することを特徴とする。
【００１９】
前記手段５において、図１に示すように、複数の液体噴射管の先端は、円（Ｃｉｒ）を作るように配置され、前記霧搬送筒の下部（Ｔ３Ａ）は、当該円周上を移動するように構成できる。
【００２０】
前記手段５において、図３に示すように、複数の液体噴射管は、当該複数の管の先端が円を作るように、かつ、一体的に回転可能に構成され、霧搬送筒の下部は、当該円周上に配置することができる。
【００２１】
前記手段１から前記手段５において、液体噴射管は、小形液体容器内（２０、２０ｂ）に設け、霧搬送筒下部から落下する滴状液体が当該小形液体容器に回収されるように構成できる。
【発明の効果】
【００２２】
＜手段１、手段２、手段３に係る効果＞
図１、図２、図３に示すように、静電霧化作用によって液体噴射管（Ｔ１）の先端から放出される微粒子液体（霧）を、霧搬送筒（Ｔ３）に導き当該筒内を移動させて放出するため、当該霧の放出方向は当該筒の軸方向に揃えられる。筒の先端からは霧が真っ直ぐ放出される、または、霧が固まりとして飛行するように放出されるため美しく、視覚的な癒し効果がある。
【００２３】
当該霧搬送筒（Ｔ３）を用いることによって、当該筒の上部に加熱手段を設けることができる。当該筒内には、熱上昇気流が発生するため、霧を真っ直ぐ放出する効果は大きい。筒から霧が揺らぎながら立ち上る様子は、線香の煙を連想させ、癒し効果は高い。香料含有液体を霧化すると、香りは線香のように広がり嗅覚を刺激し、生理的、心理的に癒し効果を与える。嗅覚刺激と視覚刺激が与えられるため、相乗作用により癒し効果は高い。
【００２４】
当該霧搬送筒（Ｔ３）を用いることによって、当該筒の腹部、または、上部に、筒内部を電界が通るように調整電極（Ｔ３２、Ｔ３３）を設けることができる。前記液体噴射管から発生した霧は、噴射電極（Ｔ１１）と対向電極（Ｔ３１）との間に発生する電界に加えて、これらの電極（Ｔ１１、Ｔ３１）と当該調整電極（Ｔ３２、Ｔ３３）との間に発生する電界により、筒の軸方向を高速に移動し放出される。
【００２５】
霧が筒の壁に衝突しにくくなるため、多くの霧を放出でき、効率がよい。また、霧は、ファンなどの気流発生装置を用いなくても長い筒内を搬送される。筒を曲げることによって、様々な方向に霧を搬送し放出できる。霧搬送筒と電極は一体構成できるため、部品点数は少なく経済的である。また、図４に示すように、霧搬送筒（Ｔ５）の上部に、調整電極（Ｔ５２、Ｔ５３、Ｔ５４、Ｔ５５）を複数設ることで、対向電極（Ｔ５１）との間に多様な電界（Ｅ４、Ｅ５）を作ることができる。霧搬送筒から放出する霧の方向を様々に変化させることができる。
【００２６】
＜手段４に係る効果＞
霧搬送筒の先端部を当該筒の腹部に比べて断面積が２／３〜１／１０程度に細くなるように構成し、噴射電極に電圧をパルス的に印加し、液体が瞬間的に霧搬送筒内に噴射されるように制御すると、当該筒の先端からは、霧が環状固まりとして放出される。当該環状霧は、環の縦断面円周方向に渦を作って回転しながら空中を飛行する特性がある。霧が拡散せずに飛行するため、離れた場所にいる利用者に霧を提示することができる。霧の中に香料を含有して放出すると、ピンポイントで匂いを提示できる。
【００２７】
＜手段５に係る効果＞
複数の液体噴射管（Ｔ１、Ｔ１ｂ、Ｔ１ｃ、Ｔ１ｄ）の中から任意に選択された液体噴射管先端の上部に霧搬送筒（Ｔ３）の下端（Ｔ３Ａ）を移動することにより、霧化する液体の種類を簡単に、かつ、高速に変更することができる。変化に富んだ香り空間を生成することができる。
【００２８】
以上のように、本発明は、香り特性がよく、香りの切り替えが可能で、癒し効果が高く、小形で経済的な嗅覚提示装置を実現できる。
【実施例１】
【００２９】
図１は、本発明の第１の実施例で、噴射電極と対向電極の間に高電圧を印加し電界の力で発生させた霧を霧搬送筒の軸方向に放出することを特徴とする静電式霧化装置である。同図（Ａ）は装置の縦断面を横から見た図、同図（Ｂ）は毛細管型液体噴射管Ｔ１の外観図、同図（Ｃ）は管径変化型液体噴射管Ｔ２の外観図、同図（Ｄ）は対向電極Ｔ３１の外観図、同図（Ｅ）は調整電極Ｔ３２、Ｔ３３の外観図である。
【００３０】
図１（Ａ）において、本装置の構成と動作を説明する。毛細管型液体噴射管Ｔ１の下端は同図には示していない香料含有液体Ｗａを蓄積する容器に接続さてれおり、毛細管現象によって、液体面は当該管の上部に達しているものとする。Ｔ１の上部は噴射電極Ｔ１１を構成している。当該電極には、直流電源ＥＥ１により、高電圧が印加される。Ｇは接地、Ｓｗはスイッチである。
【００３１】
Ｔ３は、前記噴射管Ｔ１から放出される微粒子を受け入れ当該微粒子の飛散方向を揃えて搬送するための霧搬送筒で、下部Ｔ３Ａには、対向電極Ｔ３１が設けられている。Ｔ３１はリング形状をなし、霧搬送筒を取り囲むように設けられている。Ｔ１１とＴ３１との間には、強い電界Ｅ１を発生させることができる。前記液体噴射管の香料含有液体を帯電させると当該管先端の液体は、当該電界の力で引きちぎられ微粒子ｍａになる、つまり霧化して当該霧搬送管の中に入る。
【００３２】
霧搬送筒Ｔ３の腹部Ｔ３Ｂ、および、上部Ｔ３Ｃには、霧ｍａを当該筒の軸方向Ｔ３ＡＸに搬送するための調整電極Ｔ３２、Ｔ３３が設けられている。ＥＥ２、ＥＥ３は直流電源である。Ｅ２は、Ｔ３１とＴ３２との間に生じる電界、Ｅ３はＴ３２とＴ３３との間に生じる電界である。前記霧は、当該電界Ｅ２、Ｅ３によって霧搬送筒上部Ｔ３Ｃに搬送される。
【００３３】
ここで、前記霧化の際、粒子径の大きな滴状液体ＡＫ２も発生するが、当該滴状液体は、筒の壁に衝突して落下し、前記香料含有液体溜に回収される。
【００３４】
霧搬送筒Ｔ３の上部Ｔ３Ｃには、筒加熱手段ＨＴが接続されている。ＨＴは、多数の空気穴Ａｉｒを設けた熱拡散充填材８９と耐湿発熱体ＹＡＳで構成される。
【００３５】
ＹＡＳは、発熱体（ニクロム線ＮＣ）に霧が直接触れないように、ステンレス筐体と絶縁材で構成されている。ＮＣ１はリード線である。
【００３６】
前記霧加熱手段ＨＴを囲むように霧放出筒８０が設けられている。当該筒の先端Ｔ３Ｅは腹部に比べて細くなっている。
【００３７】
前記のように、液体は、電界Ｅ１によって霧化され、当該霧は、電界Ｅ２、Ｅ３によって放出方向が調整され、霧加熱手段ＨＴの近傍に至る。ここで、熱拡散充填材８９の空気穴Ａｉｒの中には上昇気流が発生するため、霧は当該空気穴を介して放出される。
【００３８】
霧を放出する経路の温度を３０度から５０度の範囲に設定すると、霧は静かに上昇し、香料の品質を保持しやすい。視覚的に美しく、嗅覚特性がよい。
【００３９】
加熱手段ＨＴを構成する熱拡散充填材８９の空気穴を大きくして空気抵抗を小さくし、スイッチＳｗの動作をＯＦＦ、ＯＮ、ＯＦＦと切り替えると、前記噴射電極にパルス状の電圧が印加され、霧化はＯＮの時に瞬間的に行われるため、当該霧は霧搬送管Ｔ３の中を上方に向かって高速に移動する。当該霧によって筒内の気圧が瞬間的に高くなるため、霧放出筒８０の先端Ｔ３Ｅからは、霧が瞬間的に放出され環状霧Ｌｍとなって飛行する。Ｌｍは所定距離形状を崩さずに飛行するため、視覚的にも面白く、癒し効果がある。
【００４０】
美しい環状霧を作るためには、霧放出筒８０の先端開口部の中心部において気流が速く、開口部の縁では気流が遅くなるように筒を構成することが望ましい。具体的には、当該霧放出筒の先端部Ｔ３Ｅは、当該筒の腹部に比べて断面積が２／３〜１／１０程度に細くなるように構成することが望ましい。
【００４１】
図１（Ａ）において、霧搬送管上部Ｔ３Ｃは垂直であり、下部Ｔ３Ａは右側に曲がっている。Ｔ３Ｃの中心軸上には回転機構４０が設けられている。４０は、回転軸４３と回転駆動機構４１から構成されている。４３を回転すると、霧搬送管下部Ｔ３Ａは円形Ｃｉｒに示すように回転する。
【００４２】
Ｃｉｒ上には、複数の液体噴射管Ｔ１、Ｔ１ｂ、Ｔ１ｃ、Ｔ１ｄが設けられている。各液体噴射管先端の上方に、霧搬送管下部Ｔ３Ａを移動することによって、当該液体噴射管の液体を霧化することができる。
【００４３】
前記液体噴射管は、図１（Ｃ）のように、太い径の管Ｔ２を用いてもよい。先端部は細くし噴射電極Ｔ２１が設けられている。当該液体噴射管を単に液体溜に漬けても液体は、細い噴射電極部分に上ってこないため、同図には示していない機構によって、当該管内の液体に圧力を加え、液体が噴射電極上部まで上るように構成される。
【実施例２】
【００４４】
図２は、本発明の第２の実施例で、図１の実施例を香り切り替え装置に応用した例である。（Ａ）は縦断面、（Ｂ）は横断面図で、（Ｂ）の破線ｓｅｃでの切断面が（Ａ）に対応している。
【００４５】
図２（Ａ）において、０４は上部筐体、０６は下部筐体である。１０、１１の液体容器には、化学物質含有液体Ｗａ、Ｗｂが蓄積されている。当該液体は、各々小形液体容器２０、２０ｂに小分けされ、液面が所定位置になるように調整されている。２０、２０ｂは、０６の中に収められている。また、２０、２０ｂの中には、液体噴射管Ｔ１、Ｔ１ｂが設けられている。毛細管現象によって液体Ｗａは当該噴射管先端まで満たされている。
【００４６】
図１に示したように高電圧印加によって、液体Ｗａは、Ｔ１の先端から霧搬送管Ｔ３の中に噴射され霧ｍａとなる。当該霧は、電界によって管内を進行し霧放出筒８０の先端から放出される。当該噴射の際、霧にならなかった滴状液体ＡＫ２は、霧搬送筒Ｔ３の下部から落下し小形液体容器２０に回収される。
【００４７】
７０は羽式気流発生手段である。動作させると、空気穴Ａｉｒから空気が上部筐体０４に入り、当該筐体内の気圧は高くなる。当該筐体内の空気は、霧搬送筒Ｔ３の下部から入り、霧は押し上げられ放出される。
【００４８】
図２（Ｂ）において、霧搬送筒回転機構４０の回りには、４つの小形液体容器２０、２０ｂ、２０ｃ、２０ｄが設けられ、４種類の香料含有液体Ｗａ、Ｗｂ、Ｗｃ、Ｗｄが入っている。霧搬送筒を回転することにより香りを高速に切り替えることができる。
【実施例３】
【００４９】
図３は、本発明の第３の実施例で、複数の液体容器を回転させ、これら液体容器と霧搬送管との対向位置関係を切り替えることにより、放出する霧の種類を選択できるようにした静電式霧化装置である。（Ａ）は当該装置の縦断面図、（Ｂ）は上部筐体０４と霧搬送管Ｔ３を外した状態での上面図である。
【００５０】
図３（Ａ）において、小型液体容器２０、２０ｂは、収納部４７に収められている。４７は回転駆動装置４１によって一体的に回転する。４７と４１は小形液体容器切り替え機構４５を構成している。同図では、香料ａを含有する液体Ｗａが霧化される状態を示している。４７を回転することによって、香りを高速に切り替えることができる。
【００５１】
同図の筒加熱手段では、図１に示した熱拡散充填材８９を省略してある。霧放出筒８０の中央部に耐湿発熱体ＹＡＳが筒の軸方向に設けられている。図３（Ｃ）は、当該耐湿発熱体ＹＡＳの詳細図である。同図において、ＳＵＳはステンレス筐体、この中にニクロム線ＮＣが設けられ、隙間には絶縁体ＮＣ２が充填されている。リード線ＮＣ１に通電すると、霧放出筒８０内が加熱される。
【００５２】
図３（Ｄ）は、筒の先端Ｔ４Ｅを細くした霧搬送筒Ｔ４を示している。Ｔ３、８０の代わりにＴ４を用いることができる。Ｔ４１は対向電極、Ｔ４２、Ｔ４３は調整電極である。
【実施例４】
【００５３】
図４は、本発明の第４の実施例で、発生した霧を様々な方向に放出する静電式霧化装置である。（Ａ）は縦断面図、（Ｂ）は霧搬送筒Ｔ５の上面図である。Ｔ５は下部から上部に向けて断面積が広くなるように構成されている。
【００５４】
図４（Ａ）において、Ｔ５１は図１（Ｄ）と同様な構造の対向電極である。高電界Ｅ１によって発生した霧はＴ５に入る。Ｔ５２、Ｔ５３は横方向に設置された調整電極である。分離して配置される。Ｔ５１からＴ５２に向かう電界Ｅ４と、Ｔ５１からＴ５３に向かう電界の強度を非平衡にすると発生した霧の方向を変更することができる。同図では、Ｅ４の方が強い状態を示しており、霧は一点鎖線Ｆｇに示すように、左方向に放出される。
【００５５】
図４（Ｂ）に示すように、調整電極を左右（Ｔ５２、Ｔ５３）、上下（Ｔ５４、Ｔ５５）に設けることができる。筒内に発生する電界の強度を変化させることで、霧搬送筒から放出する霧の方向を任意に制御することができる。霧搬送筒Ｔ５の上部の断面積を大きくすることによって、霧の放出方向を大きく曲げることができる。
【００５６】
同図では、４個の調整電極を示しているが、数を増やしてもよい。また、取り付け位置は筒の上部に限らず、腹部でもよい。
【００５７】
本発明は、超音波式霧発生装置と組み合わせて用いることができる。本発明の構成によって、静電気で霧を発生させ、更に、霧搬送筒内に超音波を発生させ、前記静電気で霧にならなかった滴状液体を当該超音波で霧化することができる。霧の量を増やすことができる。また、当該筒内に生じる超音波の進行波で霧を搬送することができる。また、霧を発生させる時点で、超音波と静電気を併用することができるのは当然である。
【００５８】
また、本発明は、上記各実施形態に限定されるものではなく、実施段階において、その要旨を逸脱しない範囲で種々に変更することが可能である。また、上記実施形態は、種々の段階の発明が含まれており、適宜な組み合わせにより実施してもよい。更に、上記各実施例の構成要素は、その目的を踏まえて適宜省略する、または、周知慣用技術で補うことができる。
【産業上の利用可能性】
【００５９】
（１）高機能芳香発生装置；霧を所定の方向に制御し効率よく放出でき、霧に含有させる化学物質を短時間で切り替えることができるため、複数の高級自然香料（天然香料）を使用し、香りを切り替えて提示できる。また、香料含有霧を空中に美しく放出できるので、嗅覚的、視覚的な癒し効果が高い。
【００６０】
当該芳香発生装置は、ストレス解消や苦痛緩和の要求が高い病院の待合室、ホテルの客室、集中力を高めたい子供の勉強部屋、汗臭さを解消したいスポーツ練習場、安らかな眠りを誘発させたい寝室、特別な顧客にサービスする航空会社、銀行などのロビー、会議室などに最適である。また、パチンコ店など空気の汚れた場所で爽快感を演出する際にも効果的である。
【００６１】
（２）電子式香炉；発生した霧は細い線、または、環状固まりとなって立ち上るため、美しく癒し効果がある。当該電子式香炉は、火を使わないので安全で、嗅覚特性も優れている。装置の外側を木工彫刻、磁器彫刻で装飾を施すと、高級な電子式香炉になる。
【００６２】
（３）感染症予防空気清浄装置；天然香料には免疫力を高め、ウイルスを撃退する作用のあるものがある。これらを霧として放出することにより、感染症予防ができる。例えば、風邪の予防には、ヒノキ、レモン、ハーブ系の香りが効果的である。花粉症にはユーカリ、ペパーミントなどが効果的である。次亜塩素酸ナトリウムは殺菌作用あるので、水に溶かし噴霧することで感染症予防になる。病院や老人ホームなど身体的弱者の生活空間に適している。また、霧化の際に大量のマイナスイオンが発生するので森林浴と同様なリフレッシュ効果がある。エアコンやファンヒータに連動させることも可能である。
【００６３】
（４）訪問者向け雰囲気演出装置；本発明は、香料含有霧を高速に発生する特徴がある。店舗の入り口などで入店客が居ることを検出して、直ぐに香りを発生し、良い雰囲気を演出できる。また、家庭の玄関用芳香装置としても最適である。電源を入れると直ぐに香料含有霧が発生するため、ドアホンと連動させ、お客の訪問を検知した後、香りを発生する用途にも利用できる。
【００６４】
（５）香り発生トイレ；本装置をトイレの便器に連動させることもできる。使用者が便器に接近した際、これを検出して香りを発生する。本発明は高速に香りを発生、または、切り替えることができるので、便器を使用中のみ爽やかな香りを発生させることができる。また、使用者毎に好みの香りを発生することもできる。
【００６５】
（６）香り発生時計；複数の香りを時刻に対応させ、時報として利用できる。例えば、朝は、ベルガモット、レモン、ペパーミント、コーヒーなど爽やかな目覚めの良い香り、昼間は、グレープフルーツ、シダーウッドなど集中力を高めるリフレッシュな香り、夜は、ラベンダー、ローズウッド、スイートオレンジなどのリラックスな香りを放出することができる。また、短い時間で部屋の香りを切り替えると、香りが複雑に混ざり、素敵な芳香空間を作る。
【００６６】
（７）自動車の運転支援装置；運転支援用の芳香器として利用できる。例えば、運転中に疲労を感じた場合には、リフレッシュ作用のある柑橘系の香料を提示し、渋滞などで、いらいら感が増した場合には、リラックス作用のあるラベンダーなどを提示できる。居眠りを検出する装置と組み合わせると、香りを提示して、注意喚起することができる。
【００６７】
（８）防災警報装置；地震、津波、テロなどによって大きな災害が予想される場合、危険を知らせる警報として香りを使用できる。テレビやラジオ放送で危険を知らせる特殊信号を送信する。受信端末は当該信号を受信すると、本発明を応用した香り発生装置を制御して、視聴者に注意を喚起する香りを提示できる。異変を確実に知らせる手段として効果的である。また、危険な場所への立ち入りを制限するために、人が当該場所に近づいたことをセンサで検知し、当該場所に所定の香りを放出することができる。
【００６８】
（９）映像や音楽に匂いを付ける嗅覚提示装置；香を高速でクリアに切り替えることが可能なので、映画や音楽などに同期して利用できる。コンテンツの場面変化に合わせて適切な香りが提示されると臨場感が向上する。また香り通信、インターネットを用いた電子商取引での商品紹介にも利用できる。
【００６９】
（１０）医療用霧発生装置；医薬品を含有する液体を霧化すると、当該医薬品は肺から摂取される。即効性がある。気管支系の病気治療に適している。
【図面の簡単な説明】
【００７０】
【図１】本発明の第１の実施例で、噴射電極と対向電極の間に高電圧を印加し電界の力で発生させた霧を霧搬送筒の軸方向に進行するように制御して放出することを特徴とする静電式霧化装置である。
【図２】本発明の第２の実施例で、図１の実施例を香り切り替え装置に応用した例である。
【図３】本発明の第３の実施例で、複数の液体容器を回転させ、これら液体容器と霧搬送管との対向位置関係を切り替えることにより、放出する霧の種類を選択できるようにした静電式霧化装置である。
【図４】本発明の第４の実施例で、発生した霧を様々な方向に放出する静電式霧化装置である。
【符号の説明】
【００７１】
０４・・・・・上部筐体
０６・・・・・下部筐体
１０、１１・・化学物質含有液体を蓄積する液体容器
２０、２０ｂ、２０ｃ、２０ｄ・・・小型液体容器
４０・・・・・回転機構
４１・・・・・回転駆動装置
４３・・・・・回転軸
４５・・・・・小形液体容器切り替え機構
４７・・・・・小形液体容器収納部
７０・・・・・羽式気流発生手段
８０・・・・・霧放出筒
８９・・・・・熱拡散充填材
Ａｉｒ・・・・空気通過穴
ＡＫ２・・・・滴状飛散液体
Ｃｉｒ・・・・円形（液体噴射管の先端の配置）
ＥＥ１、ＥＥ２、ＥＥ３・・・直流電源
Ｅ１、Ｅ２、Ｅ３、Ｅ４、Ｅ５・・・電界
Ｇ・・・・・・接地
ＨＴ・・・・・筒加熱手段
Ｌｍ・・・・・環状霧
ｍａ・・・・・化学物質（香料）ａを含有する霧
ＮＣ・・・・・ニクロム線
ＮＣ１・・・・配線
ＮＣ２・・・・熱拡散充填材
ＳＵＳ・・・・ステンレス
ＳＷ・・・・・印加電圧制御スイッチ
Ｔ１、Ｔ１ｂ、Ｔ１ｃ、Ｔ１ｄ・・・液体噴射管（毛細管）
Ｔ１１・・・・噴射電極
Ｔ２・・・・・液体噴射管（管径変化型）
Ｔ２１・・・・噴射電極
Ｔ３・・・・・霧搬送筒
Ｔ３１・・・・対向電極
Ｔ３２、Ｔ３３・・・調整電極
Ｔ３Ａ・・・・霧搬送筒の下部
Ｔ３Ｂ・・・・霧搬送筒の腹部
Ｔ３Ｃ・・・・霧搬送筒の上部
Ｔ３Ｅ・・・・霧搬送筒の先端部
Ｔ３ＡＸ・・・霧搬送筒の軸方向
Ｔ４・・・・・先端が細くなった霧搬送筒
Ｔ５・・・・・先端を広げた霧搬送筒
Ｔ５１・・・・対向電極
Ｔ５２、Ｔ５３、Ｔ５４、Ｔ５５・・・調整電極
ＹＡＳ・・・・耐湿発熱体
Ｗａ、Ｗｂ、Ｗｃ、Ｗｄ・・・化学物質（香料）を含有する液体
【図１】
2007283231.tif 000003
【図２】
2007283231.tif 000004
【図３】
2007283231.tif 000005
【図４】
2007283231.tif 000006